【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  カラーの自然画像を複数の画素で表現するとともに、各画素の色調や明るさを表現するために複数の構成要素ごとにその階調値で程度を表すようにした画像データを取得する画像データ取得工程と、
各構成要素に応じて補間処理を対応付け、最適な組み合わせで補間処理を実行する構成要素別画素補間工程と、
補間された画像データを出力する画像データ出力工程とを実行することを特徴とする画像データ補間方法。
【請求項２】  上記請求項１に記載の画像データ補間方法において、上記構成要素として表色空間の座標軸を採用することを特徴とする画像データ補間方法。
【請求項３】  上記請求項２に記載の画像データ補間方法において、上記表色空間は色分解された各要素色の座標軸を有するとともに各要素色に対する人の視覚感度の相違に基づいて補間精度の異なる補間処理を組み合わせていることを特徴とする画像データ補間方法。
【請求項４】  上記請求項３に記載の画像データ補間方法において、上記表色空間は輝度成分座標軸と色差成分座標軸とを有するとともに、上記構成要素別画素補間工程では、輝度成分の構成要素について色差成分の構成要素よりも補間精度の高い補間処理を組み合わせていることを特徴とする画像データ補間方法。
【請求項５】  上記請求項１〜請求項４のいずれかに記載の画像データ補間方法において、上記画像データは構成要素ごとに実質的に相違する画素密度で構成され、上記構成要素別画素補間工程では高密度の構成要素に対して補間精度の高い補間処理を割り当てて実行することを特徴とする画像データ補間方法。
【請求項６】  上記請求項１〜請求項５のいずれかに記載の画像データ補間方法において、上記画像データ取得工程では、前準備として入力した画像データの表色空間を変換することを特徴とする画像データ補間方法。
【請求項７】  上記請求項１〜請求項６のいずれかに記載の画像データ補間方法において、上記画像データ取得工程では、複数の要素色の色フィルタが非均一密度でドットマトリクス状に配置された単板の固体撮像素子にて撮像された後、各要素色ごとに欠陥画素を演算にて補充して生成された画像データを取得するとともに、上記構成要素別画素補間工程では、同画像データの構成要素である低密度の要素色について画素をぼけさせる補間処理を実行することを特徴とする画像データ補間方法。
【請求項８】  上記請求項１〜請求項７のいずれかに記載の画像データ補間方法において、上記構成要素別画素補間工程では、画像密度を向上させ、上記画像データ出力工程では、情報精度を劣化させることになる画像データの形式変換を実行することを特徴とする画像データ補間方法。
【請求項９】  カラーの自然画像を複数の画素で表現するとともに、各画素の色調や明るさを表現するために複数の構成要素ごとにその階調値で程度を表すようにした画像データを取得する画像データ取得手段と、
各構成要素に応じて補間処理を対応付け、最適な組み合わせで補間処理を実行する構成要素別画素補間手段と、
補間された画像データを出力する画像データ出力手段とを実行することを特徴とする画像データ補間装置。
【請求項１０】  カラーの自然画像を複数の画素で表現するとともに、各画素の色調や明るさを表現するために複数の構成要素ごとにその階調値で程度を表すようにした画像データについてコンピュータにて画素を補間する画像データ補間プログラムを記録した媒体であって、
上記画像データを取得する画像データ取得ステップと、
各構成要素に応じて補間処理を対応付け、最適な組み合わせで補間処理を実行する構成要素別画素補間ステップと、
補間された画像データを出力する画像データ出力ステップとを実行することを特徴とする画像データ補間プログラムを記録した媒体。
【手続補正２】
【補正対象書類名】明細書
【補正対象項目名】０００６
【補正方法】変更
【補正の内容】
【０００６】
【課題を解決するための手段】
上記目的を達成するため、請求項１にかかる発明は、カラーの自然画像を複数の画素で表現するとともに、各画素の色調や明るさを表現するために複数の構成要素ごとにその階調値で程度を表すようにした画像データを取得する画像データ取得工程と、各構成要素に応じて補間処理を対応付け、最適な組み合わせで補間処理を実行する構成要素別画素補間工程と、補間された画像データを出力する画像データ出力工程とを実行する構成としてある。
【手続補正３】
【補正対象書類名】明細書
【補正対象項目名】０００７
【補正方法】変更
【補正の内容】
【０００７】
上記のように構成した請求項１にかかる発明においては、その対象とする画像データがカラーの自然画像を複数の画素で表現し、各画素の色調や明るさを表現するために複数の構成要素ごとにその階調値で程度を表すようにしたものであり、画像データ取得工程にてこの画像データを取得すると、構成要素別画素補間工程では各構成要素に応じて補間処理を対応付け、最適な組み合わせで補間処理を実行する。そして、続く画像データ出力工程でこの補間された画像データを出力する。
【手続補正４】
【補正対象書類名】明細書
【補正対象項目名】００２２
【補正方法】変更
【補正の内容】
【００２２】
このように、画像データの各構成要素について一律に一つの補間処理を実行するのではなく、その構成要素ごとに補間処理を変える手法は実体のある装置において実現され、その意味で本発明を実体のある装置としても適用可能であることは容易に理解できる。このため、請求項９にかかる発明は、カラーの自然画像を複数の画素で表現するとともに、各画素の色調や明るさを表現するために複数の構成要素ごとにその階調値で程度を表すようにした画像データを取得する画像データ取得手段と、各構成要素に応じて補間処理を対応付け、最適な組み合わせで補間処理を実行する構成要素別画素補間手段と、補間された画像データを出力する画像データ出力手段とを実行する構成としてある。
【手続補正５】
【補正対象書類名】明細書
【補正対象項目名】００２４
【補正方法】変更
【補正の内容】
【００２４】
その一例として、請求項１０にかかる発明は、カラーの自然画像を複数の画素で表現するとともに、各画素の色調や明るさを表現するために複数の構成要素ごとにその階調値で程度を表すようにした画像データについてコンピュータにて画素を補間する画像データ補間プログラムを記録した媒体であって、上記画像データを取得する画像データ取得ステップと、各構成要素に応じて補間処理を対応付け、最適な組み合わせで補間処理を実行する構成要素別画素補間ステップと、補間された画像データを出力する画像データ出力ステップとを実行する構成としてある。
【手続補正６】
【補正対象書類名】明細書
【補正対象項目名】００３６
【補正方法】変更
【補正の内容】
【００３６】
本実施形態においては、以上のようなハードウェア構成となっているが、ディジタルスチルカメラとしての構成は概略において共通するし、他の構成とすることも当然に可能である。また、この例ではディジタルスチルカメラとして実現しているが、ディジタルビデオカメラなどに組み込んで実現することも可能である。
コントローラ１０は本ディジタルスチルカメラの全体的な制御を行うが、撮影時の一連の処理の流れを図７のフローチャートに示している。撮像素子２２の出力データはＡＧＣ回路２３に入力されて所定増幅率で増幅され、同ＡＧＣ回路２３のアナログ出力値はＡ／Ｄコンバータ２４でディジタルデータに変換される。この時点ではまだ色フィルタの配置に起因した歯抜けのデータであるため、フィルタ補間回路３１が欠陥画素を補間し、自動ホワイトバランス回路３２とγ補正回路３３とでＲＧＢの出力特性間偏重を解消しつつ、受光感度をフラットにする。